(57)【要約】【課題】ハードキーによって操作された内容を表示部に表示することで目視できるようにし、操作ミスを減らすことにある。【解決手段】ハードキー１００と、操作条件を設定可能であり設定された操作条件を表示する表示パネル８とを備えた複合機１の操作内容表示装置であって、-ハードキー１００が操作されたことを認識する認識手段９１と、認識手段９１によってハードキー１００が操作されたことを認識した際に、認識された操作内容を表示パネル８に表示させる表示制御手段９２とを備えている。【選択図】      図１
2007259204.tif 000002
【特許請求の範囲】
【請求項１】
ハードキーと、操作条件を設定可能であり設定された操作条件を表示する表示部とを備えた電子機器の操作内容表示装置であって、
前記-ハードキーが操作されたことを認識する認識手段と、
前記認識手段によって前記ハードキーが操作されたことを認識した際に、認識された操作内容を前記表示部に表示させる表示制御手段と、
を備えた操作内容表示装置。
【請求項２】
前記表示部に前記ハードキーによって操作された内容を表示している間は、他の操作を受け付けないようにロックするロック手段をさらに備えた、
請求項１に記載の操作内容表示装置。
【請求項３】
前記表示部は前記ロック手段によるロックを解除する解除キーをさらに備え、
前記表示制御手段は、前記認識手段によって前記ハードキーが操作されたことが認識された際に、前記表示部に前記ハードキーによる操作の内容と前記解除キーとを表示させる、
請求項２に記載の操作内容表示装置。
【請求項４】
前記表示部は前記認識手段によって前記ハードキーが操作されたことを認識した際にどのような内容を表示するかを設定可能である、請求項１から３までに記載の操作内容表示装置。
【請求項５】
前記表示制御手段は前記ハードキーによって操作された内容によって前記表示部の表示態様を変更する、請求項１から４のいずれかに記載の操作内容表示装置。
【請求項６】
前記表示制御手段は前記ハードキーによる操作の内容のみを前記表示部に表示させる、請求項１から５のいずれかに記載の操作内容報知装置。
【請求項７】
請求項１から６のいずれかに記載の操作内容表示装置と、
前記ハードキーの操作によって画像形成命令がなされた場合に、画像を形成する画像形成部と、
を備えた電子機器。
【発明の詳細な説明】
【技術分野】
【０００１】
本発明は、操作内容表示装置、特に、ハードキーと、操作条件を設定可能であり設定された操作条件を表示する表示部とを備えた電子機器の操作内容表示装置に関する。
【背景技術】
【０００２】
電子機器、例えば複写機や複合機などの画像形成装置では、画像形成動作の条件を設定可能なシステムキーを備えた表示部と、表示部に設けられた条件設定キーとは別のキー（ハードキー）が外枠に設けられている。ハードキーには、印字開始のためのスタートキーや印字部数を設定する際等に用いられるテンキー等が含まれており、システムキーには画像形成動作の拡大・縮小率や両面印刷などを設定することができるキーが含まれている。このような画像形成装置には、印字倍率などの設定条件などが表示部に表示されるようにしたものがある（特許文献１参照）。
【特許文献１】特開２００２−１６２８６８号公報
【発明の開示】
【発明が解決しようとする課題】
【０００３】
特許文献１に記載の画像形成装置では、システムキーによる操作の内容が表示部に表示される。このため、ユーザはシステムキーによる操作内容を目視することができ、現在の画像形成動作の条件を容易に確認することができる。しかし、ハードキーによる操作については、ハードキーによる操作の内容が表示部に表示されていないために、ユーザは操作の内容を目視できず確認できない。このために、自分が印字開始キーをすでに押したのか、またはスタートキーを何回押したのか等が分からずに、必要な部数以上の部数を印字する場合がある。
【０００４】
本発明の課題は、ハードキーによって操作された内容を表示部に表示することで目視できるようにし、操作ミスを減らすことにある。
【課題を解決するための手段】
【０００５】
請求項１に係る操作内容表示装置は、ハードキーと、操作条件を設定可能であり設定された操作条件を表示する表示部とを備えた電子機器の操作内容表示装置であって、-ハードキーが操作されたことを認識する認識手段と、認識手段によってハードキーが操作されたことを認識した際に、認識された操作内容を表示部に表示させる表示制御手段とを備えている。
【０００６】
この操作内容表示装置では、ユーザがハードキーを操作した場合に、認識手段はハードキーによって操作されたことを認識する。このとき、表示制御手段は認識手段によって認識された操作内容を表示部に表示させる。
【０００７】
ここでは、ハードキーによる操作の内容が表示部に表示されるために、ユーザは操作内容を目視することができ、操作ミスを減らすことができる。
【０００８】
請求項２に係る操作内容表示装置は、請求項１に記載の操作内容表示装置であって、表示部にハードキーによって操作された内容を表示している間は、他の操作を受け付けないようにロックするロック手段をさらに備えている。
【０００９】
ここでは、ロック手段によって他の操作を受け付けないために、ユーザが誤って又はユーザの手がふるえて２度以上連続でハードキーの操作が行われることによる操作ミスを防止できる。
【００１０】
請求項３に係る操作内容表示装置は、請求項２に記載の操作内容表示装置であって、表示部は前記ロック手段によるロックを解除する解除キーをさらに備え、表示制御手段は、認識手段によってハードキーが操作されたことが認識された際に、表示部にハードキーによる操作の内容と解除キーを表示させる。
【００１１】
ここでは、ロックを解除することもできるためにユーザの使い勝手が良くなる。
【００１２】
請求項４に係る操作内容表示装置は、請求項１から３のいずれかに記載の操作内容表示装置であって、表示部は、認識手段によってハードキーが操作されたことを認識した際にどのような内容を表示するかを設定可能である。
【００１３】
この操作内容表示装置では、例えば行っている印字開始を指示するためのスタートキーが押されたこととスタートキーが押された回数とを同時に表示させることや印字部数等を表示させることを設定することができ、背景色などを変更することもできる。
【００１４】
ここでは、ユーザに必要な情報を表示させることができるためにユーザの使い勝手が良くなる。
【００１５】
請求項５に係る操作内容表示装置は、請求項１から４のいずれかに記載の操作内容表示装置であって、表示制御手段は前記ハードキーによって操作された内容によって前記表示部の表示態様を変更する。
【００１６】
ここでは、ハードキーによって操作された内容がさらにわかりやすくなる。
【００１７】
請求項６に係る操作内容表示装置は、請求項１から５のいずれかに記載の操作内容表示装置であって、表示制御手段はハードキーによる操作の内容のみを表示部に表示させる。
【００１８】
ここでは、ハードキーによる操作の内容のみが表示部に表示されるために操作内容がわかりやすくなる。
【００１９】
請求項７に係る電子機器は、請求項１から６のいずれかに記載の操作内容表示装置と、ハードキーの操作によって画像形成命令がなされた場合に、画像を形成する画像形成部とを備えている。
【発明の効果】
【００２０】
本発明は、ハードキーによって操作された内容を表示部に表示することで目視できるようにし、操作ミスを減らすことができる。
【発明を実施するための最良の形態】
【００２１】
・  構成
図１に本発明の一実施形態が採用された画像形成装置である複合機１を示す。なお、この図１は各構成要素の配置を示すための模式図であり、各部の詳細は省略して示している。
【００２２】
この複合機１は原稿を複写することができる。まあ、この複合機１は、図示しないコンピュータなどに接続されており、コンピュータなどから送られてくる画像情報に基づいてカラー画像を用紙に印刷することが可能な装置である。
【００２３】
この複合機１は、図２に示すように、原稿読み取り部２と、画像形成部３と、用紙搬送部４と、定着部５と、用紙収納部６と、排出部７と、図１に示す表示パネル８と、図３に示す制御部９とを有している。なお、複合機１の外枠の表示パネル８の近傍には複数のハードキー１００が設けられており、印字開始命令（スタートキー１０１を押す）をすることや画像形成条件のリセット（リセットキー１０２を押す）を行うことなどができる。この図２において矢印Ａは用紙の搬送経路を示している。
【００２４】
原稿読み取り部２は、複写したい原稿の画像データを読み取るための部分であって、原稿台ガラス２１と、カバー２２とを有している。この原稿読み取り部２では、例えば、原稿台ガラス２１上に原稿の複写したい面を載置した後にカバー２２を閉じ、印字開始命令をする（スタートキー１０１を押す）ことで原稿台ガラス２１に向けた原稿面の画像データが読み取られる。
【００２５】
画像形成部３は、画像データに基づいて画像を形成する部分であって、感光体ドラム３１と、現像装置３２と、レーザユニット３３とを有している。
【００２６】
感光体ドラム３１は、表面に静電潜像が形成される部材であって、複合機１の上部に配置されている。また、感光体ドラム３１は、ドラム状の部材であって、図１の紙面に直交する方向に回転軸が設けられている。
【００２７】
現像装置３２は、内部に収納されるトナーを感光体ドラム３１に供給するための装置であって、トナー撹拌スクリュー３２１と、現像ローラ３２２とを備えている。トナー撹拌スクリュー３２１は、現像装置３２の内部に収納されたトナーを撹拌するための部材であって、現像装置３２の内部に配置されている。現像ローラ３２２は、感光体ドラム３１にトナーを供給するための部材であって、感光体ドラム３１に隣接して配置されている。
【００２８】
レーザユニット３３は感光体ドラム３１上に画像データに基づいた静電潜像を形成するようにレーザ光を照射するための部分である。
【００２９】
用紙搬送部４は、用紙を搬送する部分であって、用紙収納部６から画像形成部３と定着部５とを通過して排出部７まで連続する搬送路を有している。
【００３０】
定着部５は、画像形成部２で形成された画像を用紙に定着する部分であって、加熱ローラ５１と加圧ローラ５２とを有している。
【００３１】
用紙収納部６は、複合機１の下部に配置された部分であって、複数の給紙カセット６１を有している。
【００３２】
排出部７は、画像が定着された用紙が排出される部分であって、複合機１の上部に配置されており、排出トレイ７１を有している。
【００３３】
表示パネル８は、画像形成条件などが設定可能な操作画面や、図４に示すように複数の設定キー８１を有する操作画面を表示する。この設定キー８１には、押されたハードキー１００に応じて行われる複合機１の動作内容を表す操作内容表示画面の表示条件（背景色や表示内容）を設定することが可能なポップアップ表示設定キー８１１（設定手段）が含まれている。また、表示パネル８には、ハードキー１００が操作されていない状態では画像形成条件が表示される。さらに、表示パネル８では、ハードキー１００が操作された際にハードキー１００による操作内容を表示する操作内容画面（図５参照）を表示する。なお、図５はスタートキー１０１が３回押されたことを示している。ここで、表示パネル８のポップアップ表示設定キー８１１を押して表示条件を設定することで、例えばハードキー１００による操作内容の表示条件を表示しないように設定することやロック手段９３によるロック機能を解除するロック解除キー１０５（図６参照）を併せて表示させること、ハードキー１００によって操作された内容のみを表示することを設定することができる。また、操作内容表示画面の背景色や図５の楕円形部分の色を設定することやロック手段を機能させないようにすること、操作内容表示画面の表示時間や表示の大きさも設定することができる。さらに、ユーザが操作内容表示画面を表示させる必要が無いと考えている場合には操作内容表示画面を表示しないようにすることもできる。この場合にはハードキーが操作されても、操作内容表示画面は表示されない。なお、この表示パネル８はハードキー１００による操作内容毎に操作内容画面の表示態様を変化させる。すなわち、スタートキー１０１が押された場合とリセットキー１０２が押された場合では背景色などが変化するようになっている。
【００３４】
制御部９は、ＣＰＵ等を有しており、メモリ６に記憶されているプログラムデータを実行することで各部を制御するための部分である。また、制御部９はプログラムが実行されることで認識手段９１と、表示制御手段９２と、ロック手段９３として機能する。さらに、ハードキー１００が押された回数などもカウントしている。
【００３５】
認識手段９１はハードキー１００による操作を認識する手段である。
【００３６】
表示制御手段９２は認識手段９１によってハードキー１００による操作を認識した場合にユーザによって表示パネル８上で設定された操作内容表示画面を表示パネル８に表示させる。
【００３７】
ロック手段９３は、表示パネル８上に操作内容表示画面を表示している間、他のハードキー１００による操作及び表示パネル８上の設定キー８１による操作をロックする（受け付けない）手段である。
【００３８】
２．動作
画像形成動作について説明する。
【００３９】
原稿読み取り部２で原稿の画像データが読み取られるまたは外部に接続されたコンピュータから画像データが送信されると、感光体ドラム３１の表面が帯電させられてレーザユニット３３によって感光体ドラム３１の表面に画像データに基づいてレーザ光が照射される。そして、現像装置３２内のトナーが感光体ドラム３１の表面に供給されて感光体ドラム２１の表面にトナー像が形成される。感光体ドラム３１上に形成されたトナー像は、用紙に転写されて、用紙搬送部４によって定着部５に搬送される。そして、定着部５で画像が定着される。トナー像が定着された用紙は排出部７から排出される。
【００４０】
次に表示パネル８の表示について説明する。
【００４１】
ハードキー１００による操作を行っていない状態では、印刷待機画面が表示されている。この状態では、画像形成条件を設定することができる。例えば部数を２部印字するように設定することや、印字倍率を設定することが可能である。この状態でハードキー１００による操作、例えばスタートキー１０１が３回押された場合には、図５に示すような画面が表示される。なお、表示パネル８でポップアップ表示設定キー８１１を押すと操作内容表示画面の表示条件を設定することができる。
【００４２】
ここでは、ハードキー１００を操作した際に図５に示すような画面が表示されるために現在の操作内容をユーザが容易に認識することができる。このために、現在の操作が分からずに操作ミスすることを防止できる。また、ハードキー１００を押した回数なども表示されるために、ユーザがハードキー１００を押した回数を認識することや残りの印字部数を認識することができる。さらに、操作内容表示画面の設定をすることができるためにユーザにとって使い勝手がよくなる。
【００４３】
３．他の実施形態
（ａ）上記実施形態では、複合機１について説明したが、本発明ではこれに限られずに、ハードキーと表示部とを備えた電子機器で有れば良く、例えばハードキーと表示部とを備えた電子レンジなどであっても良い。
【００４４】
（ｂ）また、上記実施形態では、操作内容表示画面としてハードキー１００による操作内容を表示する画面のみを例示したが、本発明ではこれに限られずに、図６に示すように、ハードキー１００による操作内容及びロック解除キー１０５などを同時に表示するようにしても良い。
【００４５】
（ｃ）さらに、上記実施形態では、図５に示すように、楕円と、その円の内部の操作内容とを表示したが、本発明はこれに限られず、楕円形などの他の模様であっても良い。
【図面の簡単な説明】
【００４６】
【図１】複合機１の全体外観図。
【図２】複合機１の概略全体断面図。
【図３】制御部９の構成を示すブロック図。
【図４】ハードキー１００が操作されていない状態の表示パネル８を示す図。
【図５】操作内容表示画面を表示する表示パネル８を示す図。
【図６】操作内容表示画面を表示する表示パネル８を示す図。
【符号の説明】
【００４７】
１  複合機
８  表示パネル
９  制御部
９１  認識手段
９２  表示制御手段
９３  ロック手段
１００  ハードキー
１０１  スタートキー
１０５  ロック解除キー（解除キー）
８１１  ポップアップ表示設定キー（設定手段）
【図１】
2007259204.tif 000003
【図２】
2007259204.tif 000004
【図３】
2007259204.tif 000005
【図４】
2007259204.tif 000006
【図５】
2007259204.tif 000007
【図６】
2007259204.tif 000008